(57)【要約】      （修正有）【課題】従来のブロック舗装用枠の透水部を容易に形成する方法を提供する。【解決手段】踏み圧部形成部２と透水部もしくは緑化部を形成する透水部形成部３を有するブロック舗装用枠体１であって、ブロック舗装用枠体１を敷き設後、踏み圧部形成部２には踏み圧部の形状に合わせた石材などを嵌めこみあるいは流動体を流し込んで踏み圧部を形成し、透水部形成部３はその上面４を薄い板で除去しやすく形成されるブロック舗装用枠体１である・また透水部形成部の上面４の薄板を上方に凸となるように形成し、あるいは、透水部形成部３の上面４は格子状に構成され、格子部の下面は下向きに狭くなるようなテーパが設けられ透水部３が下方に向かって広がるように構成されたブロック舗装用枠体１である。【選択図】図１
2005113542.tif 000002
【特許請求の範囲】
【請求項１】
踏み圧部を形成する踏み圧部形成部と透水部もしくは緑化部を形成する透水部形成部を有するブロック舗装用枠体であって、当該ブロック舗装用枠体を敷き設後、踏み圧部形成部には踏み圧部の形状に合わせた石材などを嵌めこみあるいは踏み圧部を形成する流動体を流し込んで踏み圧部を形成し、透水部形成部はその上面を薄い板で形成し透水部上面を除去しやすく形成されるように構成されたことを特徴とするブロック舗装用枠体。
【請求項２】
請求項1記載のブロック舗装用枠体において、透水部形成部の上面の薄板を上方に凸となるように形成したことを特徴とするブロック舗装用枠体。
【請求項３】
踏み圧部を形成する踏み圧部形成部と透水部もしくは緑化部を形成する透水部形成部を有するブロック舗装用枠体であって、当該ブロック舗装用枠体を敷き設後、踏み圧部形成部には踏み圧部の形状に合わせた石材などを嵌めこみあるいは踏み圧部を形成する流動体を流し込んで踏み圧部を形成し、透水部形成部はその上面を格子状に構成され、当該格子部の下面は下向きに狭くなるようなテーパが設けられ透水部が下方に向かって広がるように構成されたことを特徴とするブロック舗装用枠体。
【発明の詳細な説明】
【技術分野】
【０００１】
本発明は、ブロック舗装用枠体の技術に属する。
【背景技術】
【０００２】
ヒートアイランド現象の軽減、地下水の涵養、景観の改善などを目的として透水性の舗装あるいは緑の駐車場が求められている。
特開平2000-204507、特開平2001-000051、特願平2003-120115には、踏み圧部と透水部を枠体内に持ち、枠体を敷き設後踏み圧部にコンクリートを流し込みあるいは所定の形状の石材を嵌めこみ、透水部は打ち抜くことにより形成するブロック舗装材が提案されている。（図3）
【０００３】
上記打ち抜きによる枠体の透水部の形成は、時に人手により剥がす必要があり時間がかかるため、透水部の形状また形成方法に改良の余地があった。
【特許文献１】特開平2000-204507
【特許文献２】特開平2001-000051
【特許文献３】特願平2003-120115
【発明の開示】
【発明が解決しようとする課題】
【０００４】
本願発明は、従来のブロック舗装用枠の透水部を容易に形成する方法を提供するものである。
【課題を解決するための手段】
【０００５】
本第1の発明は、踏み圧部を形成する踏み圧部形成部と透水部もしくは緑化部を形成する透水部形成部を有するブロック舗装用枠体であって、当該ブロック舗装用枠体を敷き設後、踏み圧部形成部には踏み圧部の形状に合わせた石材などを嵌めこみあるいは踏み圧部を形成する流動体を流し込んで踏み圧部を形成し、透水部形成部はその上面を薄い板で形成し透水部上面を除去しやすく形成されるように構成されたブロック舗装用枠体であり
本第2の発明は、上記のブロック舗装用枠体において、透水部形成部の上面の薄板を上方に凸となるように形成したブロック舗装用枠体であり、
本第3の発明は、踏み圧部を形成する踏み圧部形成部と透水部もしくは緑化部を形成する透水部形成部を有するブロック舗装用枠体であって、当該ブロック舗装用枠体を敷き設後、踏み圧部形成部には踏み圧部の形状に合わせた石材などを嵌めこみあるいは踏み圧部を形成する流動体を流し込んで踏み圧部を形成し、透水部形成部はその上面を格子状に構成され、当該格子部の下面は下向きに狭くなるようなテーパが設けられ透水部が下方に向かって広がるように構成されたブロック舗装用枠体である。
【発明の効果】
【０００６】
透水部の上面を薄い板（膜状）に形成したため熱もしくは水ジェットなどによって容易に除去することができる。
透水部上面の薄板を上方に向かって凸となるように形成したため踏み圧部形成部にモルタル、生コンクリートなどの流動体を流し込み上部を均す際、突部には流動体が付着せず露出するため、薄板の除去が容易となる。
また、透水部である格子面を下に向かって広くなるように形成したので、砂利などが格子面に詰まり難くなり、透水性が持続する。
【発明を実施するための最良の形態】
【０００７】
以下本発明を図によって、より詳細に説明する。
図１ａに示す枠体は、ほぼ正方形の外枠内に、9個の上面がほぼ正方形で断面が下方に向かって小さくなるような台形状を有する容器状の踏み圧部形成部が設けられている。
その周りに長方形と小さなほぼ正方形の透水部形成部がそれぞれ１８、９個設けられている。
図1bは、図1ａの丸で囲った部分の拡大図であり、図1ｃは、Ａ−Ｂ線に示す断面の拡大図である。図１ｂ、１ｃに示すように、透水部形成部はその上面が薄い膜状に形成され、区画壁に沿って狭い間隔を空けて透水部の四隅に固定されている。
【０００８】
透水部形成部上面の厚さは、本枠体を敷き設し踏み圧部形成部にモルタル、コンクリートなどの流動体を流し込む際、盛られた流動体の重量によって破断しない程度の厚さがあればよい。
本枠体は射出成形可能なポリプロピレン、ポリエチレン、ポリスチレン、ポリカーボネートなどの熱可塑性樹脂によって製造する。用いる樹脂の種類、仕様によって100ミクロンから500ミクロンまで適当な厚みを決めることができる。
【０００９】
以下に本枠体を用いた、ブロック舗装の方法を説明する。
本枠体を所定の敷地に敷き詰め、モルタルもしくは生コンクリートを踏み圧部形成部内に流し込む。とんぼあるいは小手によってモルタルあるいは生コンクリートを平らに均す。このとき、透水部形成部はその上面が薄い膜で覆われているためモルタル、生コンクリートは透水部内に入らない。
踏み圧部内に流し込んだモルタルあるいは生コンクリートが固化したのち、バーナーもしくは水ジェットなどによって透水部形成部の上面の薄膜を溶融もしくは破断して除去し透水部を形成する。
踏み圧部と透水部との間の段差をなくすよう、透水部空間に砂利あるいは芝生など植生育成用の土壌を充填する。とんぼで均すようにして充填し、必要に応じて水で流し込む。芝は芝の種を土壌と混ぜて充填しあるいは芝の芽を混ぜて充填してもよい。
【００１０】
本第2の発明による透水部の形状を図２に示す。
図2ａ、２ｂはそれぞれ、図1ａ、図３ａに示したブロック舗装用枠体のＡ-Ｂ線による断面図を示している。
いずれも透水性部形成部上面の薄膜は上方に向かって凸に形状されている。このため踏み圧部形成部内に生コンクリート、モルタルなどを流し込みとんぼなどで均す際これら生コンクリート、モルタルなどは凸部に付着し難くなり凸部である薄膜部が露出し、熱あるいは水ジェットなどで除去しやすくなる。
【００１１】
図3は本第3の発明を示す概念図である。
本透水部上面は前記の透水部と異なり除去せずそのまま残すことを前提としている。格子は下方に向かって狭くなるようにテーパが設けられている。図に示すように透水部の格子によって形成される空間部は下方に向かって広がっている。このように形成することで透水部上面から砂利等が落下する際上部に引っ掛かることがないため透水部上面を詰めることがない。
そのため、透水部の透水性能を低下させることがない。
【００１２】
図では格子が路盤面まで届いていないが、その長さを延長し路盤面まで届かせて荷重を支持することができる。
【００１３】
以下に本枠体を用いた、ブロック舗装の方法を説明する。
本枠体を所定の敷地に敷き詰め、モルタルもしくは生コンクリートを踏み圧部内に流し込む。とんぼあるいは小手によってモルタルあるいは生コンクリートを平らに均す。このとき、透水部はその格子面の開口部の大きさによっては後述するような処理を経ずともその内部にモルタル、生コンクリートが入らないが、好ましくは透水部表面にテープを張り、モルタルあるいは生コンクリートの流し込みが終了した時点でテープを剥がすこともできる。
【図面の簡単な説明】
【００１４】
【図１】は、 本第１の発明のブロック舗装用枠体を示す概念図である。
【図２】は、本第２の発明のブロック舗装用枠体の透水部形成部を示す断面図である。
【図３】は、本第３の発明のブロック舗装用枠体を示す概念図である。
【図４】は、従来のブロック舗装用枠体を示す概念図である。
【符号の説明】
【００１５】
１  ブロック舗装用枠体
２  踏み圧部（踏み圧部形成部）
３  透水部（透水部形成部）
４  透水部上面
５  区画壁
６  格子部
【図１】
2005113542.tif 000003
【図２】
2005113542.tif 000004
【図３】
2005113542.tif 000005
【図４】
2005113542.tif 000006